(57)【要約】【課題】本願の目的は、物品の位置ずれを防止するパネルを有し、該位置ずれパネルを適切な位置に維持する機構を有する包込式キャリヤを提供することである。【解決手段】キャリヤを形成するブランクは、キャリヤの端部壁を設定配置に保持するための機構を有する。ブランクは、底面パネル１２と、底面パネルにヒンジ式に連結される第１の側面パネル１４と、底面パネルにヒンジ式に連結される第２の側面パネル１６と、底面パネルにヒンジ式に連結される端部壁パネル３４ａとを含む、一連のパネルを有する。保持機構は、端部壁３４ａを第１の側面壁１４および第２の側面壁１６に接続する２対のヒンジ式に連結されたガセットパネルおよびウェブパネル３６ａ／４８ａ、３６ｃ／４８ｃを含む。保持機構は、端部壁に結合し、第１の側面壁および第２の側面壁に結合する係留パネル４６ａ、３２ａ、４４ａをさらに含む。係留パネルの少なくとも一部分は、底面パネル上に折り畳むことができる。【選択図】図１
2012232800.tif 000002
【特許請求の範囲】
【請求項１】
キャリヤの端部壁を設定配置に保持するための機構を有するキャリヤを形成するブランクであって、
前記ブランクは一連のパネルを有し、該一連のパネルは、第２の側面パネル（１６）にヒンジ式に連結される底面パネル（１２）にヒンジ式に連結される第１の側面パネル（１４）を含み、且つ前記底面パネル（１２）にヒンジ式に連結される端部壁パネル（３４ａ）を含んでおり、
前記機構は２対のガセットパネルおよびウェブパネル（３６ａ／４８ａ、３６ｃ／４８ｃ）を含み、該ガセットパネルおよびウェブパネル（３６ａ／４８ａ、３６ｃ／４８ｃ）は、前記端部壁（３４ａ）を前記第１の側面壁（１４）および前記第２の側面壁（１６）に接続しており、ヒンジ式に連結された
前記機構は、前記端部壁に結合する係留パネル（４６ａ、３２ａ、４４ａ）であって、前記第１の側面壁に結合し、且つ前記第２の側面壁に結合する係留パネル（４６ａ、３２ａ、４４ａ）をさらに含み、前記係留パネルの少なくとも一部分は、前記底面パネル上に折り畳むことができる、ブランク。
【請求項２】
前記係留パネルは、前記隣接する対の前記ヒンジ式に連結されたガセットパネルおよびウェブパネル（３６ａ／４８ａ、３６ｃ／４８ｃ）の前記ウェブパネル（４８ａ）の一部分として隣接して、または一体的に形成されることにより前記第１の側面壁に結合されており、
前記係留パネルは、前記隣接する対の前記ヒンジ式に連結されたガセットパネルおよびウェブパネル（３６ａ／４８ａ、３６ｃ／４８ｃ）の前記ウェブパネル（４８ｃ）の一部分として隣接して、または一体的に形成されることにより前記第２の側面壁（１６）に結合される、請求項１に記載のブランク。
【請求項３】
前記係留パネルは、３つの部分、すなわち、ベース係留パネル（３２ａ）、第１の側面接続部（４４ａ）、および第２の側面接続部（４６ａ）を含み、
前記ベース係留パネル（３２ａ）は、前記端部パネル（３４ａ）と同一平面上に形成され、折畳線（７８ａ、７８ｃ）により、その側部のいずれかで前記第１および第２の側面接続部（４４ａ、４６ａ）にヒンジ式に連結される、請求項１または２に記載のブランク。
【請求項４】
前記ベース係留パネルは、前記端部壁（３４ａ）の上端部から分離され、
前記第１および第２の側面接続部（４４ａ、４６ａ）は、前記ガセットパネル（３６ａ、３６ｃ）から分離され、
前記第１および第２の側面接続部（４４ａ、４６ａ）は、前記ガセットパネル（３６ａ、３６ｃ）と隣接して形成され、それにより、前記係留パネル（４６ａ、３２ａ、４４ａ）は、前記端部壁の端部に結合され、且つ前記第１および第２の側面壁（１４、１６）の端部に結合される、請求項３に記載のブランク。
【請求項５】
前記ベース係留パネル（３２ａ）と前記第１および第２の側面接続部（４４ａ、４６ａ）との間の前記折畳線（７８ａ、７８ｃ）は、前記底面パネル（１２）と前記第１および第２の側面パネル（１４、１６）との間のヒンジ接続部（５２、５０）と一直線になり、それによって、前記ブランクがキャリヤに形成され、且つ前記係留パネルが折り畳まれるとき、前記ベース係留パネル（３２ａ）と前記第１および第２の側面接続部（４４ａ、４６ａ）との間の前記折畳線（７８ａ、７８ｃ）が、前記底面パネル（１２）と前記第１および第２の側面パネル（１４、１６）との間の前記ヒンジ接続部（５２、５０）と重なるようになる、請求項３に記載のブランク。
【請求項６】
前記係留パネルが、略帯状になる、請求項１または２に記載のブランク。
【請求項７】
前記係留パネルの前記第１および第２の側面接続部（４４ａ、４６ａ）は、前記第１および第２の側面パネル（１４、１６）の一方に平行に延びる、請求項３に記載のブランク。
【請求項８】
前記底面パネル（１２）上に積載される物品を含み、
前記底面パネル（１２）上で折り畳むことができる前記係留パネルの一部分は、前記物品（Ｂ）の重量により、その折畳位置に保持される、請求項１または２のブランクから形成されるキャリヤ。
【請求項９】
キャリヤの端部壁をその設定配置に保持するための機構を有するキャリヤであって、
前記キャリヤは、第２の側面パネル（１６）にヒンジ式に連結される底面パネル（１２）にヒンジ式に連結される第１の側面パネル（１４）と、前記底面パネル（１２）にヒンジ式に連結される端部壁パネル（３４ａ）とを有し、
前記機構は２対のヒンジ式に連結されたガセットパネルおよびウェブパネル（３６ａ／４８ａ、３６ｃ／４８ｃ）を含み、該２対のヒンジ式に連結されたガセットパネルおよびウェブパネル（３６ａ／４８ａ、３６ｃ／４８ｃ）は前記端部壁（３４ａ）を前記第１の側面壁（１４）および前記第２の側面壁（１６）に接続し、
前記機構は、前記端部壁に結合する係留パネル（４６ａ、３２ａ、４４ａ）であって、前記第１の側面壁に結合し、且つ前記第２の側面壁に結合する係留パネル（４６ａ、３２ａ、４４ａ）をさらに含み、前記係留パネルの少なくとも一部分は、前記底面パネルの上部で折り畳まれる、キャリヤ。
【請求項１０】
前記底面パネル（１２）上に積載される物品をさらに含み、
前記物品は、前記係留パネルをその折畳配置に維持し、それにより、前記端部壁をその設定配置に維持する、請求項９に記載のキャリヤ。
【請求項１１】
前記係留パネルは、前記隣接する対のヒンジ式に連結されたガセットパネルおよびウェブパネル（３６ａ／４８ａ、３６ｃ／４８ｃ）の前記ウェブパネル（４８ａ）の一部分として隣接して、または一体的に形成されることにより前記第１の側面壁に結合されており、
前記係留パネルは、前記隣接する対のヒンジ式に連結されたガセットパネルおよびウェブパネル（３６ａ／４８ａ、３６ｃ／４８ｃ）の前記ウェブパネル（４８ｃ）の一部分として隣接して、または一体的に形成されることにより前記第２の側面壁（１６）に結合される、請求項１０に記載のキャリヤ。
【請求項１２】
前記係留パネルは、３つの部分、すなわち、ベース係留パネル（３２ａ）、第１の側面接続部（４４ａ）、および第２の側面接続部（４６ａ）を含み、
前記ベース係留パネル（３２ａ）は、前記端部パネル（３４ａ）と同一平面上に形成され、折畳線（７８ａ、７８ｂ）により、その側部のいずれかで前記第１および第２の側面接続部（４４ａ、４６ａ）にヒンジ式に連結される、請求項１０または１１に記載のキャリヤ。
【請求項１３】
前記ベース係留パネルは、前記端部壁（３４ａ）の上端部から分離され、
前記第１および第２の側面接続部（４４ａ、４６ａ）は、前記ガセットパネル（３６ａ、３６ｃ）から分離され、
前記第１および第２の側面接続部（４４ａ、４６ａ）は、前記ガセットパネル（３６ａ、３６ｃ）と隣接して形成され、それにより、前記係留パネル（４６ａ、３２ａ、４４ａ）は、前記端部壁の端部に結合され、且つ前記第１および第２の側面壁（１４、１６）の端部に結合される、請求項１２に記載のキャリヤ。
【請求項１４】
前記ベース係留パネル（３２ａ）と前記第１および第２の側面接続部（４４ａ、４６ａ）との間の前記折畳線（７８ａ、７８ｃ）が、前記底面パネル（１２）と前記第１および第２の側面パネル（１４、１６）との間のヒンジ接続部（５２、５０）と重なる、請求項１２に記載のキャリヤ。
【請求項１５】
前記係留パネルが、略帯状になる、請求項１０または１１に記載のキャリヤ。
【発明の詳細な説明】
【技術分野】
【０００１】
本発明は、物品用のキャリヤに関し、より具体的には、限定はされないが、物品の位置ずれを防止するパネルを有し、且つその位置ずれパネルを適切な位置に維持する機構を有する、包込式キャリヤに関する。
【背景技術】
【０００２】
梱包の分野では、しばしば、複数の主要製品容器を含む梱包体を消費者に届ける必要があり、そうした複数の梱包体は、運送および配送、ならびに販売促進情報の展示において所望される。費用および環境を考慮すれば、そうしたボール箱またはキャリヤは、できる限り少量の材料から形成し、ボール箱またはキャリヤが形成される材料の無駄使いをできる限り少量にする必要がある。別の考慮点は、大重量の物品を保持し、それらを輸送するための梱包体の強度およびその適合性である。物品自体の剛性がないとき、例えば、剛性のない物品の梱包の自動化が、複雑になる可能性があることをさらに考慮しなければならず、手で組み立てるのが簡単で速い梱包体が望ましい。さらに、剛性のある物品の緊密な入れ子構造体は、封鎖梱包体を作るために使用することができるが、小袋などの剛性がなく柔軟な物品には、これが適用できない。それに加えて、包込式キャリヤでは、剛性のある物品の底面および頂面の一部分を係合するために使用される、底面および頂面固定機構（瓶上の王冠、缶上の縁金、瓶のベース部など）を有する四面ボール箱構造体に最小量の材料が使用される。小袋などの柔軟な物品と共に、これらの係合機構を容易に使用することができない。したがって、小袋などの柔軟で剛性のない物品の梱包に適用できる、物品保持のための別の機構（必ずしも限定はされないが）を有するのが望ましい。
【発明の概要】
【発明が解決しようとする課題】
【０００３】
本発明は、先行技術の問題を克服、または少なくともそれらの問題を緩和することを目的とする。
【課題を解決するための手段】
【０００４】
本発明の第１の態様によれば、キャリヤの端部壁を設定配置に保持するための機構を有するキャリヤを形成するブランクであって、ブランクは一連のパネルを有し、該一連のパネルは、第２の側面パネルにヒンジ式に連結される底面パネルにヒンジ式に連結される第１の側面パネルを含み、且つ底面パネルにヒンジ式に連結される端部壁パネルを含んでおり、前記機構は２対のヒンジ式に連結されたガセットパネルおよびウェブパネルを含み、該２対のヒンジ式に連結されたガセットパネルおよびウェブパネルは、端部壁を第１の側面壁および第２の側面壁に接続しており、前記機構は、端部壁に結合する係留パネルであって、第１の側面壁に結合し、第２の側面壁に結合する係留パネルをさらに含み、係留パネルの少なくとも一部分は、底面パネル上に折り畳むことができる、ブランクが提供される
【０００５】
係留パネルは、隣接する対のヒンジ式に連結されたガセットパネルおよびウェブパネルのうちのウェブパネルの一部分として隣接して、または一体的に形成されることにより第１の側面壁に結合されており、係留パネルは、隣接する対のヒンジ式に連結されたガセットパネルおよびウェブパネルのうちのウェブパネルの一部分として隣接して、または一体的に形成されることにより第２の側面壁に結合されるのが好ましい。
【０００６】
係留パネルは、３つの部分、すなわち、ベース係留パネル、第１の側面接続部、および第２の側面接続部を含み、ベース係留パネルは、端部パネルと同一平面上に形成され、折畳線により、その側部のいずれかで第１および第２の側面接続部にヒンジ式に連結されるのが好ましい。
【０００７】
ベース係留パネルは、端部壁の上端部から分離され、第１および第２の側面接続部は、ガセットパネルから分離され、第１および第２の側面接続部は、ガセットパネルと隣接して形成され、それにより、係留パネルは、端部壁の端部に結合され、第１および第２の側面壁の端部に結合されるのが好ましい。
【０００８】
ベース係留パネルと第１および第２の側面接続部との間の折畳線は、底面パネルと第１および第２の側面パネルとの間のヒンジ接続部と一直線になり、ブランクがキャリヤに形成され、係留パネルが折り畳まれるとき、ベース係留パネルと第１および第２の側面接続部との間の折畳線が、底面パネルと第１および第２の側面パネルとの間のヒンジ接続部と重なるようになるのが好ましい。
【０００９】
係留パネルが、略帯状になるのが好ましい。
【００１０】
係留パネルの第１および第２の側面接続部は、第１および第２の側面パネルの一方に平行に延びるのが好ましい。
【００１１】
底面パネル上に積載される物品を含み、底面パネル上で折り畳むことができる係留パネルの一部分は、物品（Ｂ）の重量により、その折畳位置に保持される、いずれかの先行する請求項のブランクから形成されるキャリヤ。
【００１２】
本発明の第２の態様によれば、キャリヤの端部壁をその設定配置に保持するための機構を有するキャリヤであって、キャリヤは、第２の側面パネルにヒンジ式に連結される底面パネルにヒンジ式に連結される第１の側面パネルと、底面パネルにヒンジ式に連結される端部壁パネルとを有し、前記機構は、端部壁を第１の側面壁および第２の側面壁に接続する２対のヒンジ式に連結されたガセットパネルおよびウェブパネルを含み、機構は、端部壁に結合し、第１の側面壁に結合し、第２の側面壁に結合する係留パネルをさらに含み、係留パネルの少なくとも一部分は、底面パネルの上部で折り畳まれる、キャリヤが提供される。
【００１３】
本発明の第３の態様によれば、底面パネル上に積載される物品を含むキャリヤが提供され、物品は、係留パネルをその折畳配置に維持し、それにより、端部壁をその設定配置に維持する。
【００１４】
係留パネルは、隣接する対のヒンジ式に連結されたガセットパネルおよびウェブパネルのうちのウェブパネルの一部分として隣接して、または一体的に形成されることにより第１の側面壁に結合され、係留パネルは、隣接する対のヒンジ式に連結されたガセットパネルおよびウェブパネルのうちのウェブパネルの一部分として隣接して、または一体的に形成されることにより第２の側面壁に結合されるのが好ましい。
【００１５】
係留パネルは、３つの部分、すなわち、ベース係留パネル、第１の側面接続部、および第２の側面接続部を含み、ベース係留パネルは、端部パネルと同一平面上に形成され、折畳線により、その側部のいずれかで第１および第２の側面接続部にヒンジ式に連結されるのが好ましい。
【００１６】
ベース係留パネルは、端部壁の上端部から分離され、第１および第２の側面接続部は、ガセットパネルから分離され、第１および第２の側面接続部は、ガセットパネルと隣接して形成され、それにより、係留パネルは、端部壁の端部に結合され、且つ第１および第２の側面壁の端部に結合されるのが好ましい。
【００１７】
ベース係留パネルと第１および第２の側面接続部との間の折畳線が、底面パネルと第１および第２の側面パネルとの間のヒンジ接続部と重なるのが好ましい。
【００１８】
係留パネルが、略帯状になるのが好ましい。
【００１９】
ここで、添付の図面を参照して、本発明の例示的な実施形態を説明する。
【図面の簡単な説明】
【００２０】
【図１】本発明の第１の実施形態による、キャリヤを形成するためのブランクの頂面図である。
【図２】図１のブランクからのキャリヤの組立てを示す斜視図である。
【図３】図１のブランクからのキャリヤの組立てを示す斜視図である。
【図４】図１のブランクからのキャリヤの組立てを示す斜視図である。
【図５】図１のブランクからのキャリヤの組立てを示す斜視図である。
【図６】図１のブランクからのキャリヤの組立てを示す斜視図である。
【図７】物品を積載する、図１のブランクから形成されるキャリヤの側端斜視図である。
【図８】本発明の第２の実施形態によるキャリヤの側端斜視図である。
【発明を実施するための形態】
【００２１】
梱包体、ブランク、およびボール箱の特定の実施形態の詳細な説明を本明細書に開示する。開示する実施形態は、本発明のいくつかの態様を実施することができる方法の例に過ぎず、本発明を具体化することができる方法のすべての包括的なリストを表さないことが理解されよう。実際に、本明細書に説明する梱包体、ブランク、およびボール箱を様々な形態および代替の形態で具体化することができることが理解されよう。図面は必ずしも縮尺が正確でなく、いくつかの特徴は、特定の要素の詳細を示すために誇張または最小化されている可能性がある。本発明の開示を不明瞭にするのを避けるために、良く知られている、要素、材料、または方法は、必ずしも極めて詳細に説明しない。本明細書に開示する、特定のいかなる構造的および機能的詳細も、限定的なものとして解釈すべきでなく、単に、特許請求の範囲の原理として、および当業者に本発明を様々に使用するように教示するための典型となる原理として解釈すべきである。
【００２２】
図１を参照すれば、底面パネル１２、第１の側面パネル１６、第２の側面パネル１４、第１の頂面パネル１８ａ、第２の頂面パネル１８ｂ、第１の固定パネル２０ａ、およびタブ２２ｂを有する第２の固定パネル２０ｂを含む、一連の折畳式パネルを含むブランク１０が示される。これらのパネルは、（示されるように）折畳線５０、６２、６４、６６、５２、５８、および６０に沿って共にヒンジ式に連結される。
【００２３】
通常、包込キャリヤは、端部パネルを有しないが、いくつかの形態の物品は、固定機構（例えば瓶固定機構）を有する。これらの機構は、端部の開いたキャリヤ内に物品を係合および保持するために、キャリヤの頂面および／または底面に開口部およびスリットをしばしば使用する。梱包体が、このように係合することができる剛性のある物品を保持するとき、この機構は、わずか４つの主要パネルを有するキャリヤ内に物品を堅固に保持するために十分である。しかし、本発明では、物品をキャリヤ内に堅固に保持する追加的な手段を作るために、（特にキャリヤの方向が直立状態から離れて移動するとき）、１対の端部パネルすなわち位置ずれパネル３４ａ、３４ｂが提供される。これらの端部パネル３４ａ、３４ｂは、折畳線５６および５４に沿って底面パネル１２に直接的にヒンジ式に連結される。これらの端部パネル３４ａ、３４ｂは、小袋などの剛性のない物品に適した固定手段を提供するが、それらのパネルは、剛性のある物品にもまた適している。
【００２４】
それに加えて、端部パネル３４ａ、３４ｂはそれぞれ、折畳線７４ａ、７４ｂ、７４ｃ、７４ｄに沿って、隣接ウェブパネル４８ａ、４８ｂ、４８ｃ、４８ｄと接触するガセットパネル３６ａ、３６ｂ、３６ｃ、３６ｄにヒンジ式に連結することにより、第１および第２の側面パネル１４、１６のそれぞれに間接的に接続される。ウェブパネル４８ａ、４８ｂ、４８ｃ、４８ｄは、折畳線６１ａ、６１ｂ、６１ｃ、６１ｄに沿って、第１または第２の側面パネル１４、１６に直接的にヒンジ式に連結される。各ガセットパネル３６ａ、３６ｂ、３６ｃ、３６ｄは、折畳線７２ａ、７２ｂ、７２ｃ、７２ｄに沿って、隣接ウェブパネル４８ａ、４８ｂ、４８ｃ、４８ｄに斜めにヒンジ式に連結される。端部パネル３４ａ、３４ｂと側面壁１４、１６との間の接続は、ウェブガセットパネル対４８ａ／３６ａ、４８ｂ／３６ｂ、４８ｃ／３６ｃ、４８ｄ／３６ｄを介して、端部パネル（すなわち位置ずれパネル）３４ａ、３４ｂを適切な位置に維持するための保持システムの一部分を提供する。保持システムの第２の態様は、係留パネル３２ａ／４６ａ／４４ａ、３２ｂ／４６ｂ／４４ｂの提供である。これらの係留パネル３２ａ／４６ａ／４４ａ、３２ｂ／４６ｂ／４４ｂは、ウェブパネル４８ａ〜４８ｄにより接触して、または一体的に形成することにより、側面パネル１４、１６に接続される。図１においてわかるように、ブランク形態における係留パネル３２ａ／４６ａ／４４ａ、３２ｂ／４６ｂ／４４ｂは、端部パネル（３４ａ、３４ｂ、切断線７６ａ、７６ｂによりそこから分離されるが）に隣接して配置され、ウェブパネル４８ａ〜４８ｄに合体し、またはそれらと一体になる。この構成は、係留パネルを組み立て、配置し、および側面パネルに接続することができる、１つの例示的な方法を表す。以下に説明する他の構成が想起される。
【００２５】
各係留パネル３２ａ／４６ａ／４４ａ、３２ｂ／４６ｂ／４４ｂは、３つの部分、すなわちベース係留パネル３２ａ、３２ｂおよび側面接続部４４ａ、４６ａ、４６ｂ、４４ｂを含む。ベース係留パネル３２ａ、３２ｂは、折畳線７８ａ、７８ｂ、７８ｃ、７８ｄにより、その隣接側面接続部４４ａ、４６ａ、４６ｂ、４４ｂにヒンジ式に連結される。折畳線７８ａ、７８ｂ、７８ｃ、７８ｄは、ヒンジ接続部５２および５０と一直線となり、その結果、折畳線７８ａ、７８ｂ、７８ｃ、７８ｄは、ヒンジ接続部５２および５０に重なることができる。
【００２６】
図１のブランク１０からキャリヤを組み立てるために、端部パネル３４ａ、３４ｂは、ベース係留パネル３２ａ、３２ｂ、関連のウェブパネル４８ａ〜４８ｄ、ガセットパネル３６ａ、３６ｂ、３６ｃ、３６ｄ、および側面接続部４４ａ、４６ａ、４６ｂ、４４ｂと共に、折畳線５６、５４で折り畳まれ、底面パネル１２と面接触重なり関係となる。（または、少なくともベース係留パネル３２ａ、３２ｂは、底面パネル１２と面接触重なり関係になるように折り畳まれ、端部パネル３４ａ、３４ｂは底面パネル１２と近接するように折り畳まれるが、底面パネル１２と平面接触はしない）。ウェブパネル４８ａ〜４８ｄ、ガセットパネル３６ａ、３６ｂ、３６ｃ、３６ｄ、および側面接続部４４ａ、４６ａ、４６ｂ、４４ｂは、第１または第２の側面パネル１４、１６上にそれぞれ折り畳まれる。このことは、図３に示されており、キャリヤの組立者は、ベース係留パネル３２ａ、３２ｂを、底面パネル１２の頂部上に、底面パネル１２と面接触させて手で保持している。図３に示すように、他の折り畳まれた要素の自然の弾性により、それらの要素は、わずかにとび出し、したがって、図３の斜視図では、端部パネル３４ａ、３４ｂおよび関連のウェブパネル４８ａ〜４８ｄ、ガセットパネル３６ａ、３６ｂ、３６ｃ、３６ｄ、ならびに側面接続部４４ａ、４６ａ、４６ｂ、４４ｂは、下部の第１および第２の側面パネル１４、１６と必ずしも完全に接触していないことがわかる。
【００２７】
手で組み立てることができ、機械的にのみ結合されるキャリヤを提供することが、本発明の１つの目的である。したがって、ベース係留パネル３２ａ、３２ｂは、キャリヤがその組立ての十分な段階に達するときまで、組立者の手で適切な位置に保持されるが、このことは必須ではない。底面パネル１２の上面にベース係留パネル３２ａ、３２ｂをそれらの折畳位置で保持するために、機械的または化学的な固定を追加的または代替的に使用することができることが容易に理解されよう。さらに、必要があれば、組立プロセスを完全または部分的に自動化することができることが理解されよう。
【００２８】
第１の折畳ステップから続ければ、第１および第２の側面壁１４、１６は、折畳線５０および５２で上方に折り畳まれる。これは、キャリヤの側面１４、１６を、底面パネル１２に略垂直なそれらの最終位置に持っていく。これを行うとき、ガセットパネル３６ａ、３６ｂ、３６ｃ、３６ｄは、自動的に端部パネル３４ａ、３４ｂの内側に引っ張られる。第１の側面パネル１６の単独の移動を図５に示し、第２の側面パネル１４の単独の折畳みを図４に示す。これらは、例示目的のためだけに別個の動作として示され、効率的なキャリヤ組立てのために、側面パネル１４、１６の折畳みを同時に行うことが想定される（しかし、これは必須ではない）。
【００２９】
側面パネル１４、１６の折畳みの前または後に、物品（Ｂ）は、底面パネル１２およびベース係留パネル３２ａ、３２ｂの上面に配置される。これは、図６に示される。
【００３０】
キャリヤの組立ては、頂面パネルを形成することにより完成される。頂面パネルは、第１および第２の頂面パネル１８ａ、１８ｂを折り畳むことにより形成される。第２の頂面パネル１８ｂは、第１の頂面パネル１８ａの上面に折り畳まれる。物品（Ｂ）の頂部は、頂面パネル１８ａ、１８ｂが折り畳まれるとき、開口部６８、７０を通される。第２の最外部の頂面パネル１８ｂにヒンジ式に連結される機械的な固定用タブ２２ｂは、ボール箱を組立状態で固定するために、側面パネル１６内に形成されるスリット２２ａ内に受入可能である。キャリヤ構造体のこの態様および他の態様は、完全に選択自由である。例えば、説明および例示したものの代わりに、他の頂部封鎖およびボール箱固定手段を使用することができる。
【００３１】
物品Ｂの重量は、それらの通常の方向に（すなわち、底面パネル１２に垂直な方向に）積載されるとき、ベース係留パネル３２ａ、３２ｂを底面パネル１２と平面接触させて維持するために十分な力をもたらす。この重量は、端部パネル３４ａ、３４ｂをそれらのまっすぐな直立位置に固定する効果を有する。端部パネル３４ａ、３４ｂは、保持システムにより移動が制限される。保持システムは、それにより、強度および構造的な完全性をキャリヤに付加する。（キャリヤが非直立の方向に移動するとき、おそらく端部パネル３４ａ、３４ｂを押す物品Ｂの重量に起因して）端部パネル３４ａ、３４ｂがキャリヤの外側に押されれば、ベース係留パネル３２ａ、３２ｂは、底面壁１２に対して上方に持ち上がることができる必要があるが、物品の存在がこれを妨げる。物品の上方向への移動を制限するキャリヤの頂面壁の存在により、物品は、上方に動いてベース係留パネルから離れて自らが動けるようにすることはできない。それに加えて、ガセットパネルおよびウェブパネル３６ａ〜３６ｄ／４８ａ〜４８ｄの折り畳まれた構成により、端部パネル３４ａ、３４ｂの移動は、さらに制限される。全体的な効果は、端部パネル３４ａ、３４ｂをそれらの直立状態で維持し、崩壊することなく、端部パネル３４ａ、３４ｂを押す物品Ｂの重量を支持することができ、したがって、それらの物品Ｂを安全かつ堅固に保持するように動作することができる機械的な保持システムを有するキャリヤが、組み立てられることである。
【００３２】
ここで図８を参照すれば、本発明の別の実施形態が示される。第２の例示的な実施形態では、可能であれば、要素の特徴部が第２の実施形態に属することを示すために接頭辞「１００」を追加するが、同様の要素を示すために同様の番号が使用される。別の実施形態は、端部パネル１３４ａ、１３４ｂの端部が、美観および設計のために波形の端部を有するところだけが異なる。この任意選択の形状は、広告のためのインパクトを端部パネル１３４ａ、１３４ｂに付加することができる。図示する構成では、係留パネル１３２ａ／１４６ａ／１４４ａ、１３２ｂ／１４６ｂ／１４４ｂは、端部パネル１３４ａ、１３４ｂの上端部を形成する同じ切断線により、端部パネル１３４ａ、１３４ｂから分離するが、これは、任意選択の特徴部である。各係留パネル１３２ａ／１４６ａ／１４４ａ、１３２ｂ／１４６ｂ／１４４ｂの１つの端部も、存在すれば、形作られることになる。
【００３３】
パネルおよび開口部のサイズおよび形状は、異なるサイズまたは形状の物品を収容するために調整することができるなど、本発明の範囲内で様々な変更を行うことができることが理解されよう。本発明の他の実施形態では、係留パネルは、共通の切断線７６ａ、７６ｂによっては端部パネルから分離されないが、破断部（脆弱部または穿孔部接続）に沿ってそれらに接続することができ、または別に、ブランク形態の端部パネル３４ａ、３４ｂから離間させ、それらの間にスペースが存在するようにすることが想起される。しかし、係留パネル３２ａ、３２ｂは、端部パネル３４ａ、３４ｂの上端部から分離され、その結果、それらの端部パネル３４ａ、３４ｂは、設計のために滑らかな切断上端部を有することが好ましい。
【００３４】
必要に応じて、ベース係留パネル３２ａ、３２ｂおよび側面接続パネル４６ａ、４６ｂ、４４ａ、４４ｂは、接着剤による他の化学的固定、および／または機械的な固定（留金または固定構造体など）により、底面パネル１２、および／または側面パネル１４、１６に、および／または互いに取り付けることができる。別の選択的な特徴部として、各ウェブガセットパネル対４８ａ／３６ａ、４８ｂ／３６ｂ、４８ｃ／３６ｃ、４８ｄ／３６ｄを互いに固定するために、相補型固定特徴部（固定用タブおよび固定用開口部など）を提供し、または接着剤を使用することができる。パネル、具体的には係留パネル３２ａ、３２ｂ、４４ａ、４４ｂ、４６ａ、４６ｂの多くの矩形端部形状は、選択自由であり、他の構成では、側面接続部４６ａ、４６ｂ、４４ａ、４４ｂとウェブパネルとの間の隅部は、曲面形状を有することができる。係留パネル３２ａ、３２ｂ、４４ａ、４４ｂ、４６ａ、４６ｂは、均一な幅を有するものとして、したがって、「帯状の」形状で示されるが、他の実施形態では、係留パネル３２ａ、３２ｂ、４４ａ、４４ｂ、４６ａ、４６ｂは、不均一な幅を有する。１つのそうした好ましい構成では、物品Ｂと底面パネル１２との間に固定される材料のより大きい面積をもたらすように、ベース係留パネル３２ａ、３２ｂは、その中央に向かって広くなる。
【００３５】
「直立」、「頂部」、「底部」、「前部」、「後部」、「端部」、「側部」、「内部」、「外部」、「上部」および「下部」などの方向への言及は、それぞれのパネルをそうした方向に限定するのではなく、これらのパネルを互いに区別するために役立つに過ぎないことが理解されよう。ヒンジ接続部の参照符号のいずれも、必ずしも単一の折畳線のみを参照しているものとして解釈すべきでなく、実際には、ヒンジ接続部は、本発明の範囲から逸脱することなく、以下の、短スリット、脆弱線、一連の交互折畳線および半分深切断線、または折畳線の１つまたは複数から形成することができるが想起される。
【符号の説明】
【００３６】
１０  ブランク
１２  底面パネル
１４  第１の側面パネル
１６  第２の側面パネル
３２ａ  係留パネル
３４ａ  端部壁
３６ａ  ガセットパネル
３６ｃ  ガセットパネル
４４ａ  係留パネル
４６ａ  係留パネル
４８ａ  ウェブパネル
４８ｃ  ウェブパネル
５０  ヒンジ接続部
５２  ヒンジ接続部
７８ａ  折畳線
７８ｃ  折畳線
【図１】
2012232800.tif 000003
【図２】
2012232800.tif 000004
【図３】
2012232800.tif 000005
【図４】
2012232800.tif 000006
【図５】
2012232800.tif 000007
【図６】
2012232800.tif 000008
【図７】
2012232800.tif 000009
【図８】
2012232800.tif 000010
【外国語明細書】
2012232800.tif 000011
2012232800.tif 000012
2012232800.tif 000013
2012232800.tif 000014
2012232800.tif 000015
2012232800.tif 000016
2012232800.tif 000017
2012232800.tif 000018
2012232800.tif 000019
2012232800.tif 000020
2012232800.tif 000021
2012232800.tif 000022
2012232800.tif 000023
2012232800.tif 000024
2012232800.tif 000025
2012232800.tif 000026
2012232800.tif 000027
2012232800.tif 000028
2012232800.tif 000029
2012232800.tif 000030
2012232800.tif 000031
2012232800.tif 000032
2012232800.tif 000033